(57)【特許請求の範囲】
【請求項１】
前側に表示面を有する表示部の後側に、該表示部を支持する脚体が取着される被取着部材を備える表示装置において、
前記被取着部材は、
前記脚体に掛止される掛止片、
該掛止片と上又は下へ離隔する位置に開設されている脚体取着用の孔、及び
前記掛止片より上側に、後方へ突出する状態で設けられ、壁掛具に取り付けるための取付具が嵌入される棒状体
を有することを特徴とする表示装置。
【請求項２】
前記被取着部材は上下に配置される柱形をなし、前記掛止片は前記被取着部材の幅方向両側に配してあることを特徴とする請求項１に記載の表示装置。
【請求項３】
前記掛止片が掛止されて前記表示部の荷重を受止める荷重受部、及び前記孔に対応する第２の孔を有し、前記表示部を支持する脚体を備え、前記第２の孔へ挿通して前記孔に嵌入されているピン部材により前記脚体が前記被取着部材に取着されていることを特徴とする請求項１又は２に記載の表示装置。
【請求項４】
前記被取着部材は、前記掛止片より下側に、前記脚体に係合して該脚体に対する前後方向への傾倒を規制する傾倒規制部を有することを特徴とする請求項３に記載の表示装置。
【請求項５】
前記表示部は前側に表示面を有する表示部本体を有し、前記被取着部材は、幅方向中央部が前記表示部本体の後面に対して後方へ離隔する凹条をなし、幅方向両側が前記後面に接触しており、前記表示部本体は、その内側に孔を有し、前記凹条内に配されている筒部が一体に成形されていることを特徴とする請求項２に記載の表示装置。
【発明の詳細な説明】
【技術分野】
【０００１】
本発明は液晶表示装置、プラズマ表示装置等の表示装置に関する。
【背景技術】
【０００２】
液晶テレビジョン等の薄型の表示装置は、前側に表示面を有する表示部と、該表示部の後側の上下部にその上下端部が複数本の雄螺子により固定され、前記表示部を補強する柱形部材と、該柱形部材の下部に複数本の雄螺子により固定された脚取付具と、該脚取付具に取着され、前記表示部を起立状態で支持する脚体とを備える（例えば、特許文献１参照）。
【０００３】
脚取付具は、半角筒部及び該半角筒部両側縁から外方へ延出され、複数の貫通孔が列設されているフランジを有し、前記半角筒部に二つの筒体と、螺子孔を有する棒状体とがカシメ加工により固定されている。
【０００４】
脚体は脚取付具の下端に当接して表示部の荷重を受止める荷重受部と、該荷重受部から上方へ突出され、脚取付具内に嵌入される嵌入部とを有し、前記筒体の孔に対応する螺子孔が前記嵌入部に設けられており、雄螺子を前記筒体内に挿通して前記螺子孔に捩込むことにより脚体を脚取付具に取着してある。
【０００５】
また、表示装置が壁掛けされる場合、壁掛具に開設されている貫通孔へ挿通されるボルトを前記棒状体の螺子孔に捩込むことにより表示装置を壁掛けすることができる。
【先行技術文献】
【特許文献】
【０００６】
【特許文献１】特開２００６−３３７７７６号公報
【発明の概要】
【発明が解決しようとする課題】
【０００７】
ところで、特許文献１のように表示部を補強する柱形部材に脚取付具を固定し、該脚取付具に脚体を取着する表示装置にあっては、筒体を有する脚取付具と、該脚取付具を柱形部材に固定する複数本の雄螺子とを有し、さらに該雄螺子に対応する螺子孔を柱形部材に開設する必要があるため、脚体取付用に部品点数が比較的多いし、また、組込作業工数が増加し、改善策が要望されていた。
【０００８】
また、壁掛け用の棒状体が、柱形部材に取付けられている脚取付具に固定されているため、脚体を用いることなく壁掛けされる場合においても、壁掛け用の部品点数が比較的多いし、また、壁掛け用部品の組込作業性が悪く、改善策が要望されていた。
【０００９】
本発明は斯かる事情に鑑みてなされたものであり、主たる目的は脚体取着用の部品点数、及び組込作業工数を削減することができる表示装置を提供することにある。
【００１０】
また、他の目的は壁掛け用の部品点数を削減することができるとともに、壁掛け用部品の組込作業性を高めることができる表示装置を提供することにある。
【課題を解決するための手段】
【００１１】
本発明に係る表示装置は、前側に表示面を有する表示部の後側に、該表示部を支持する脚体が取着される被取着部材を備える表示装置において、前記被取着部材は、前記脚体に掛止される掛止片、該掛止片と上又は下へ離隔する位置に開設されている脚体取着用の孔、及び前記掛止片より上側に、後方へ突出する状態で設けられ、壁掛具に取り付けるための取付具が嵌入される棒状体を有することを特徴とする。
この発明にあっては、被取着部材に掛止片及び脚体取着用の孔が設けられているため、該掛止片を脚体に掛止し、孔にピン部材等の取付具を嵌入することにより、表示部を脚体に支持することが可能であり、また、孔は掛止片と上又は下へ離隔する位置に設けられているため、掛止片と前記取付具とにより表示部の前後方向への傾きを防ぐことができる。
そして、この発明にあっては、壁掛具への取付具を棒状体に嵌入して取付けることができ、また、棒状体は被取着部材に直接取付けられているため、壁掛具への取付構造を簡易にでき、部品点数を低減できる。
【００１３】
また、本発明に係る表示装置は、前記被取着部材は上下に配置される柱形をなし、前記掛止片は前記被取着部材の幅方向両側に配してあることを特徴とする。
この発明にあっては、表示部の荷重を、被取着部材の幅方向両側に分散して脚体に加えることができるため、脚体に対する表示部の安定性を高めることができる。
【００１４】
また、本発明に係る表示装置は、前記掛止片が掛止されて前記表示部の荷重を受止める荷重受部、及び前記孔に対応する第２の孔を有し、前記表示部を支持する脚体を備え、前記第２の孔へ挿通して前記孔に嵌入されているピン部材により前記脚体が前記被取着部材に取着されていることを特徴とする。
この発明にあっては、表示部に掛止片が設けられているため、該掛止片を荷重受部に掛止してピン部材を取付けることにより、表示部を脚体に支持することができ、また、ピン部材は掛止片と上又は下へ離隔する位置に設けられているため、掛止片とピン部材とにより表示部の前後方向への傾きを防ぐことができる。
【００１５】
また、本発明に係る表示装置は、前記被取着部材は前記掛止片より下側に、前記脚体に係合して該脚体に対する前後方向への傾倒を規制する傾倒規制部を有することを特徴とする。
この発明にあっては、掛止片より下側に設けられている傾倒規制部が表示部の前後方向への傾倒を規制した状態で表示部を脚体に固定することが可能であるため、前記取付具の負担を低減でき、脚体の取着剛性を高め得る。
【００１７】
また、本発明に係る表示装置は、前記表示部は前側に表示面を有する表示部本体を有し、前記被取着部材は、幅方向中央部が前記表示部本体の後面に対して後方へ離隔する凹条をなし、幅方向両側が前記後面に接触しており、前記表示部本体は、その内側に孔を有し、前記凹条内に配されている筒部が一体に成形されていることを特徴とする。
この発明にあっては、被取着部材の幅寸法に対して凹条の幅寸法を比較的大きくすることができ、この凹条内に、表示部本体と一体に成形されている筒部を配置してあるため、表示部の脚体への取着部の剛性を高めることができる。
【発明の効果】
【００１８】
本発明によれば、被取着部材の掛止片を脚体に掛止し、孔にピン部材等の取付具を嵌入することにより、表示部を脚体に支持することが可能であるため、脚体の組込作業工数を削減することができる。また、被取着部材に開設されている孔に嵌入されるピン部材等の取付具により脚体を取着することができるため、脚体取着用の部品点数を削減することができる。
【００１９】
また、本発明によれば、壁掛具への取付具を棒状体に嵌入することにより表示部を壁掛けすることができるため、壁掛け用部品の組込作業性を高めることができ、また、壁掛け用の棒状体は被取着部材に設けられているため、壁掛け用の部品点数を削減することができる。
【図面の簡単な説明】
【００２０】
【図１】本発明に係る表示装置の構成を示す背面図である。
【図２】図１のII−II線の断面図である。
【図３】本発明に係る表示装置の被取着部材と脚体との構成を示す分解した斜視図である。
【図４】本発明に係る表示装置の被取着部材と脚体との構成を示す斜視図である。
【図５】本発明に係る表示装置の被取着部材と脚体との構成を示すもので、(a) は背面図、(b) は側面図である。
【図６】本発明に係る表示装置の脚体取着部の拡大斜視図である。
【図７】本発明に係る表示装置の脚体取着部の拡大背面図である。
【図８】本発明に係る表示装置の脚体取着部の拡大側面図である。
【図９】本発明に係る表示装置の被取着部材の構成を示すものであり、(a) は底面図、(b) は図５(a) のIX−IX線の拡大断面図、(C) は図５(a) のX −X 線の拡大断面図である。
【発明を実施するための形態】
【００２１】
以下本発明をその実施の形態を示す図面に基づいて詳述する。
図１は表示装置の構成を示す背面図、図２は図１のII−II線の断面図、図３は被取着部材と脚体との構成を示す分解した斜視図、図４は被取着部材と脚体との構成を示す斜視図、図５は被取着部材と脚体との構成を示すもので、(a) は背面図、(b) は側面図、図６は脚体取着部の拡大斜視図、図７は脚体取着部の拡大背面図、図８は脚体取着部の拡大側面図、図９は被取着部材の構成を示すもので、(a) は底面図、(b) は図５(a) のIX−IX線の拡大断面図、(C) は図５(a) のX −X 線の拡大断面図である。
【００２２】
図示した表示装置はテレビ画像を表示する表示面を前側に有し、略直方体をなす表示部１と、該表示部１の後側下部に取外し可能に取着され、表示部１を起立状態で支持する脚体２とを備える薄型の液晶テレビジョンである。
【００２３】
表示部１は前側に表示面を有する液晶のパネルと、該パネルの後側に配置された光学シートと、バックライト部と、これらパネル等の部品を支持する支持体３と、該支持体３の後側の面に取着されている支持体補強用の二つの被取着部材４，４とを備えており、該被取着部材４，４夫々に脚体２，２が取着されている。尚、パネル、光学シート、バックライト部及び支持体３により表示部本体が構成されている。
【００２４】
支持体３は略直方体をなす横長の枠部材３１と、周縁部が枠部材３１に結合され該枠部材３１の後側端を閉鎖する蓋板３２とを有し、内側に前記バックライト部が支持され、開放側に前記パネル及び光学シートが支持されており、また、蓋板３２の後側で長手方向の２箇所に、後方へ突出する複数の筒部３３が上下に離隔して一体に成形されている。筒部３３には螺子孔が設けられ、該螺子孔に捩込まれる雄螺子５により二つの被取着部材４，４が取付けられている。
【００２５】
被取着部材４，４は、幅方向中央部が支持体３の後面３ａに対して後方へ離隔する凹条をなし、幅方向両側が前記後面３ａに接触する凸状をなす帯状板からなり、該被取着部材４，４の長手方向下端部に、凹条から後方へ突出する補強ボス部４１と、脚体２の後記する荷重受部に掛止される二つの掛止片４２，４２と、脚体２の後記する被係合部に係合する二つの傾倒規制部４３，４３とが一体に設けられている。補強ボス部４１はその長手方向が上下となる後面視略長円形をなし、該補強ボス部４１に、上下に離隔して二つの螺子孔４４，４４と、上側の螺子孔４４と上方へ離隔した位置で前後方向へ貫通する貫通孔４５とが開設されている。尚、螺子孔４４，４４が脚体取着用の孔を構成している。
【００２６】
掛止片４２，４２は補強ボス部４１の両側（被取着部材４，４の幅方向両側）で、螺子孔４４，４４の間が後方へ切起しにより立上り、途中に下向きの鈎部を有する。この鈎部は補強ボス部４１より後側に配されている。
【００２７】
傾倒規制部４３，４３は、下端と二つの掛止片４２，４２との間で切起しにより後方へ立上がる基部と、該基部から幅方向中央側へ曲げられている先部とにより鈎形をなしている。
【００２８】
また、被取着部材４，４の上端部及び掛止片４２，４２の間に凹条から後方へ突出する補強ボス部４６が一体に設けられており、該補強ボス部４６に前後方向へ貫通する貫通孔４７が開設されている。上下の補強ボス部４１，４６に開設されている貫通孔４５，４７には、後方へ突出し、壁掛具に取付けられる棒状体６，６がカシメ加工により取付けられている。この棒状体６，６は内側に螺子孔を有し、一端部が貫通孔４５，４７に挿入され、その端末がカシメられることにより固定されている。また、被取着部材４，４には凹条内へ突出する複数の凸部４８が上下に離隔して一体に設けられ、該凸部４８に貫通孔４９が開設されている。
【００２９】
脚体２，２は補強ボス部４１と対向する帯状の基板２１と、該基板２１の幅方向両側に連なる側板２２，２２とにより長手方向が上下となる半角筒形をなし、上端部に、螺子孔４４，４４に対応する二つの貫通孔２３，２３と、側板２２，２２より外方へ突出し、掛止片４２，４２が掛止される荷重受部２４，２４と、側板２２，２２より外方へ突出し、傾倒規制部４３，４３が係合する被係合部２５，２５とが設けられている。側板２２，２２の外法寸法は掛止片４２，４２間及び傾倒規制部４３，４３の先部間の距離より若干短く形成されている。貫通孔２３，２３は上下に離隔して基板２１に開設されている。荷重受部２４，２４は貫通孔２３，２３の間の側板２２，２２を幅方向外方へ切起こすことにより基板２１と一体に形成されている。被係合部２５，２５は下側の貫通孔２３と下方へ離隔した位置の側板２２，２２を幅方向外方へ切起こすことにより基板２１と一体に形成されている。また、脚体２の下端部には基板２１及び側板２２，２２から外方へ曲げられたフランジ２６が突設され、該フランジ２６がベース体に取付けられるように構成されている。尚、貫通孔２３，２３が第２の孔を構成している。
【００３０】
以上のように構成された表示装置の表示部１は、表示面が下向きとなるように載置台上に転倒して組立てられ、支持体３の蓋板３２が上向になっており、この蓋板３２の長手方向へ離隔した２箇所に被取着部材４，４が並置され、筒部３３へ挿通される雄螺子５を支持体３の筒部３３内へ捩込まれることにより被取着部材４，４が支持体３に取付けられる。
【００３１】
この後、脚体２の上端部が被取着部材４，４の下端外方から傾倒規制部４３，４３の先部間及び掛止片４２，４２間へ差込まれ、基板２１が補強ボス部４１に接触した状態で荷重受部２４，２４が掛止片４２，４２に当接し、被係合部２５，２５が傾倒規制部４３，４３と対向する位置で係合し、貫通孔２３，２３へ挿通する雄螺子７，７を螺子孔４４，４４に捩込むことにより脚体２，２を被取着部材４，４に取着することができる。尚、雄螺子７，７が脚体２を取着するピン部材を構成している。
【００３２】
この場合、脚体２，２を支持体補強用の被取着部材４，４に直接取着するため、雄螺子７だけで脚体２，２を固定することができ、組込作業性を高めることができ、また、脚体取着用の部品点数を削減できる。
【００３３】
以上のように脚体２，２が取着された後、表示部１が起立されることにより、表示部１の荷重が被取着部材４，４の掛止片４２，４２から脚体２，２の荷重受部２４，２４に加わる。
【００３４】
また、表示装置が壁掛けされる場合、脚体２，２が取着されない状態で、壁掛具に開設されている貫通孔へ挿通される雄螺子が被取着部材４，４の棒状体６の螺子孔に捩込まれることにより、表示装置を壁掛けすることができる。
【００３５】
尚、以上説明した実施の形態では柱形をなす被取着部材４，４を用いたが、その他、被取着部材４，４の構造は特に制限されない。また、被取着部材４，４は略直方体をなす表示部１の長手方向へ離隔した２箇所に配置したが、その他、被取着部材４，４は例えば表示部１の長手方向中央部に一つ又は二つを配置してもよい。
【００３６】
また、以上説明した実施の形態では掛止片４２，４２の上下両側に螺子孔４４，４４を設けている場合につき説明しているが、この螺子孔４４，４４は掛止片４２，４２の上側及び下側の一方に設ける。
【００３７】
また、以上説明した実施の形態では柱形をなす被取着部材４，４の幅方向両側に掛止片４２，４２を設けたが、その他、掛止片４２，４２は例えば被取着部材４，４の幅方向中央部に設けてもよいし、また、上下に離隔した複数の位置に設けてもよい。
【００３８】
また、以上説明した実施の形態では被取着部材４，４に脚体取着用の螺子孔４４，４４を設けたが、その他、例えば螺子孔４４，４４に替えて貫通孔とし、支持体３の蓋板３２から後方へ突出する筒部を一体に設け、脚体２，２の貫通孔２３，２３に挿通する雄螺子７，７を、前記貫通孔を経て前記筒部内に捩込むことにより脚体２，２を取着する構成としてもよい。
【００３９】
また、脚体２，２を取付ける取付具として雄螺子７を用いたが、その他、頭付ピンを用い、該頭付ピンを脚体の孔及び被取着部材の孔に嵌入し、ピン先端をカシメることにより脚体２，２を取着する構成としてもよい。
【００４０】
また、本発明に係る表示装置は液晶テレビジョン等の液晶表示装置である他、プラズマ表示装置、ＥＬディスプレイ等の表示装置であってもよい。
【符号の説明】
【００４１】
１  表示部
２  脚体
２３  貫通孔（第２の孔）
２４  荷重受部
２５  被係合部
３３  筒部
４  被取着部材
４２  掛止片
４３  傾倒規制部
４４  螺子孔（孔）
６  棒状体
７  雄螺子（取付具）
【図１】
0005497228.tif 000002
【図２】
0005497228.tif 000003
【図３】
0005497228.tif 000004
【図４】
0005497228.tif 000005
【図５】
0005497228.tif 000006
【図６】
0005497228.tif 000007
【図７】
0005497228.tif 000008
【図８】
0005497228.tif 000009
【図９】
0005497228.tif 000010